(57)【要約】【課題】テレビ受信機の画面を見ながら、携帯端末を操作する際の操作性を向上させること。【解決手段】互いに通信可能に接続された端末と出力装置とを含む表示制御システムであって、前記端末が備える検出部が予め決められた操作（持ち上げ）を検出したか否かを判定する操作内容判定部と、前記出力装置が備える第１表示部が映像コンテンツを再生している状態において、前記操作内容判定部が前記予め決められた操作を検出したことを判定した場合、ＷＥＢ上に投稿された投稿情報を前記映像コンテンツとともに前記第１表示部に表示させる表示制御部と、を備える。【選択図】図１
2014215864.tif 000002
【特許請求の範囲】
【請求項１】
互いに通信可能に接続された端末と出力装置とを含む表示制御システムであって、
前記端末が備える検出部が予め決められた操作を検出したか否かを判定する操作内容判定部と、
前記出力装置が備える第１表示部が映像コンテンツを再生している状態において、前記操作内容判定部が前記予め決められた操作を検出したことを判定した場合、ＷＥＢ上に投稿された投稿情報を前記映像コンテンツとともに前記第１表示部に表示させる表示制御部と、
を備えることを特徴とする表示制御システム。
【請求項２】
前記表示制御部は、
前記第１表示部が再生している前記映像コンテンツに応じた前記投稿情報を、前記映像コンテンツとともに前記第１表示部に表示させることを特徴とする請求項１に記載の表示制御システム。
【請求項３】
前記表示制御部は、
前記第１表示部が前記映像コンテンツを再生している状態において、前記予め決められた操作を検出したと前記操作内容判定部が判定した場合、前記ＷＥＢ上に投稿する情報を入力するための入力画面を前記端末が備える第２表示部に表示させることを特徴とする請求項１または２に記載の表示制御システム。
【請求項４】
前記第１表示部が再生している前記映像コンテンツを示すコンテンツ情報に基づき、前記投稿情報を分類するための分類情報を決定する投稿管理部をさらに備えることを特徴とする請求項１から３のうちいずれか一項に記載の表示制御システム。
【請求項５】
前記操作内容判定部は、
前記検出部が検出する運動量が予め決められた第１閾値を超えた場合、前記予め決められた操作を検出したと判定することを特徴とする請求項１から４のうちいずれか一項に記載の表示制御システム。
【請求項６】
前記表示制御部は、
前記検出部が検出する運動量が予め決められた第２閾値を下回った状態が予め決められた時間以上継続したと前記操作内容判定部が判定した場合、前記第１表示部への前記投稿情報の表示を終了することを特徴とする請求項１から５のうちいずれか一項に記載の表示制御システム。
【請求項７】
前記第１表示部が前記映像コンテンツを再生している状態において、前記予め決められた操作を検出したと前記操作内容判定部が判定した場合、入力された情報を前記ＷＥＢ上へ投稿する処理及び前記投稿情報を表示する処理を実行する投稿アプリケーションを起動させるアプリケーション管理部をさらに備えることを特徴とする請求項１から６のうちいずれか一項に記載の表示制御システム。
【請求項８】
前記アプリケーション管理部は、
前記検出部が検出する運動量が予め決められた第３閾値を下回った状態が予め決められた時間以上継続したと前記操作内容判定部が判定した場合、起動している前記投稿アプリケーションを終了させることを特徴とする請求項７に記載の表示制御システム。
【請求項９】
検出部が予め決められた操作を検出したか否かを判定する操作内容判定部と、
外部の出力装置が備える表示部が映像コンテンツを再生している状態において、前記操作内容判定部が前記予め決められた操作を検出したことを判定した場合、ＷＥＢ上に投稿された投稿情報を前記映像コンテンツとともに前記表示部に表示させる表示制御部と、
前記表示部が再生している前記映像コンテンツを示すコンテンツ情報に基づき、前記投稿情報を分類するための分類情報を決定する投稿管理部と、
を備えることを特徴とする情報処理装置。
【請求項１０】
端末が備える検出部が予め決められた操作を検出したか否かを判定する操作内容判定ステップと、
出力装置が備える表示部が映像コンテンツを再生している状態において、前記予め決められた操作を検出したことが判定された場合、ＷＥＢ上に投稿された投稿情報を前記映像コンテンツとともに前記表示部に表示させる表示制御ステップと、
を備えることを特徴とする表示制御方法。
【請求項１１】
コンピュータを、
端末が備える検出部が予め決められた操作を検出したか否かを判定する操作内容判定手段、
出力装置が備える表示部が映像コンテンツを再生している状態において、前記操作内容判定手段が前記予め決められた操作を検出したことを判定した場合、ＷＥＢ上に投稿された投稿情報を前記映像コンテンツとともに前記表示部に表示させる表示制御手段、
として機能させるためのプログラム。
【発明の詳細な説明】
【技術分野】
【０００１】
本発明は、表示制御システム、情報処理装置、表示制御方法、およびプログラムに関する。
【背景技術】
【０００２】
近年、スマートフォンやタブレット型端末等の携帯端末が普及している。この携帯端末として、テレビの放送波を受信する機能や、インターネット接続をする機能を搭載したものがある。ユーザは、この携帯端末を用いて、テレビや音楽等のコンテンツの閲覧や視聴をすることができる。また、ユーザは、ツイッター（登録商標）やフェイスブック（登録商標）等のソーシャルネットワーキングサービスを利用して、画像やテキストデータを投稿することにより、ＷＥＢ上において最近の状況を共有したり、今思ったことを共有している。
【０００３】
例えば、携帯端末の外部から加えられたユーザの動作を検出した場合、ユーザの動作を検出したことをバイブレータの振動によってユーザに認識させるものがある（例えば、特許文献１参照）。
また、ユーザが視聴している特定の番組の内容についてコメントするため、視聴中のコンテンツを特定可能なメタ情報をサーバに送信する携帯端末がある（例えば、特許文献２参照）。
【先行技術文献】
【特許文献】
【０００４】
【特許文献１】特開２００６−３３３３５５号公報
【特許文献２】特開２０１１−２３４１９８号公報
【発明の概要】
【発明が解決しようとする課題】
【０００５】
しかしながら、テレビ受信機の画面で映像コンテンツをユーザが視聴中の状態において、投稿情報を閲覧した場合、例えば携帯端末にインストールされている専用のアプリケーションを起動させる必要があった。この場合、視聴している映像コンテンツに対応する投稿情報の閲覧を投稿情報管理サーバに要求し、投稿情報管理サーバから受信した投稿情報を携帯端末に表示させ、確認しなればならない。このため、ユーザは、テレビ受信機の画面を見ながら、携帯端末を操作するとともに、携帯端末の画面で投稿情報を確認しなければならず、テレビ受信機と携帯端末とを交互に見る必要があり、使い勝手が悪いという問題があった。
【０００６】
本発明は、上記の課題を解決することができる表示制御システム、情報処理装置、表示制御方法、およびプログラムを提供することを目的とする。
【課題を解決するための手段】
【０００７】
この発明は上述した課題を解決するためになされたもので、本発明の一態様による表示制御システムは、互いに通信可能に接続された端末と出力装置とを含む表示制御システムであって、前記端末が備える検出部が予め決められた操作を検出したか否かを判定する操作内容判定部と、前記出力装置が備える第１表示部が映像コンテンツを再生している状態において、前記操作内容判定部が前記予め決められた操作を検出したことを判定した場合、ＷＥＢ上に投稿された投稿情報を前記映像コンテンツとともに前記第１表示部に表示させる表示制御部と、を備える。
【０００８】
また、この発明は上述した課題を解決するためになされたもので、本発明の一態様による情報処理装置は、検出部が予め決められた操作を検出したか否かを判定する操作内容判定部と、外部の出力装置が備える表示部が映像コンテンツを再生している状態において、前記操作内容判定部が前記予め決められた操作を検出したことを判定した場合、ＷＥＢ上に投稿された投稿情報を前記映像コンテンツとともに前記表示部に表示させる表示制御部と、前記表示部が再生している前記映像コンテンツを示すコンテンツ情報に基づき、前記投稿情報を分類するための分類情報を決定する投稿管理部と、を備える。
【０００９】
また、この発明は上述した課題を解決するためになされたもので、本発明の一態様による表示制御方法は、端末が備える検出部が予め決められた操作を検出したか否かを判定する操作内容判定ステップと、出力装置が備える表示部が映像コンテンツを再生している状態において、前記予め決められた操作を検出したことが判定された場合、ＷＥＢ上に投稿された投稿情報を前記映像コンテンツとともに前記表示部に表示させる表示制御ステップと、を備える。
【００１０】
また、この発明は上述した課題を解決するためになされたもので、本発明の一態様によるプログラムは、コンピュータを、端末が備える検出部が予め決められた操作を検出したか否かを判定する操作内容判定手段、出力装置が備える表示部が映像コンテンツを再生している状態において、前記操作内容判定手段が前記予め決められた操作を検出したことを判定した場合、ＷＥＢ上に投稿された投稿情報を前記映像コンテンツとともに前記表示部に表示させる表示制御手段、として機能させるためのプログラムである。
【発明の効果】
【００１１】
本発明によれば、テレビ映像を見ている状態において、ユーザ端末が持ち上げられた場合、見ているテレビ映像の内容に対する感想をＷＥＢ上に投稿したいというユーザの意思等を反映させ、簡単な操作により、テレビ映像と同一画面に投稿情報を表示させることができる。
【図面の簡単な説明】
【００１２】
【図１】本発明の一実施形態に係る表示制御システムの構成の一例を示すブロック図である。
【図２】本発明の一実施形態に係るユーザ端末が投稿アプリを起動させる際の表示制御システムの動作例を説明するためのシーケンス図である。
【図３】本発明の一実施形態に係るユーザ端末が投稿アプリを起動させる際の表示制御方法の一例を説明するためのフローチャートである。
【図４】図３に示す表示制御方法の続きを説明するためのフローチャートである。
【図５】本発明の一実施形態に係る出力装置が投稿アプリを起動させる際の表示制御システムの動作例を説明するためのシーケンス図である。
【図６】本発明の一実施形態に係る出力装置が投稿アプリを起動させる際の表示制御方法の一例を説明するためのフローチャートである。
【図７】図６に示す表示制御方法の続きを説明するためのフローチャートである。
【図８】本発明の一実施形態に係る表示制御システムにおける表示画面の一例を示す参考図である。
【図９】本発明の一実施形態に係る表示制御システムにおける表示画面の他の例を示す参考図である。
【図１０】本発明の最少構成を説明するためのブロック図である。
【発明を実施するための形態】
【００１３】
［第１実施形態］
以下、図面を参照して本発明の一実施形態について説明する。図１は、本発明の一実施形態に係る表示制御システムの構成の一例を示すブロック図である。
図１に示す通り、本実施形態に係る表示制御システムは、ユーザ端末１００と、出力装置２００と、投稿情報管理サーバ３００と、コンテンツ管理サーバ４００と、テレビ局５００と、送信アンテナ６００とを備える。
これらユーザ端末１００と、出力装置２００と、投稿情報管理サーバ３００と、コンテンツ管理サーバ４００は、インターネット７００を介して接続されている。また、ユーザ端末１００と出力装置２００とは、ＬＡＮ（Ｌｏｃａｌ Ａｒｅａ Ｎｅｔｗｏｒｋ）８００を介して接続されている。このＬＡＮ８００としては、例えば、有線接続、無線接続、Ｂｌｕｅｔｏｏｔｈ（登録商標）等の近距離通信等、さまざまな通信を利用することができる。
本実施形態において、インターネット７００は、ＷＡＮ（Ｗｉｄｅ Ａｒｅａ Ｎｅｔｗｏｒｋ）の一例であり、他の通信方式を用いるネットワークであってもよい。
【００１４】
本実施形態において、ユーザ端末１００は、ユーザが携帯する携帯端末であって、例えば、携帯電話、スマートフォン、携帯ゲーム機、ＰＤＡ（Ｐｅｒｓｏｎａｌ Ｄｉｇｉｔａｌ Ａｓｓｉｓｔａｎｔ）、タブレット型ＰＣ（Ｐｅｒｓｏｎａｌ Ｃｏｍｐｕｔｅｒ）、ノート型ＰＣ等である。
出力装置２００は、例えばテレビ受信機等である。
本実施形態では、ユーザ端末１００の表示画面の方が、出力装置２００の表示画面よりも小さい場合を想定している。また、出力装置２００を閲覧しているユーザのユーザ端末１００が出力装置２００と近距離通信が可能な範囲に存在していることを想定している。
【００１５】
ユーザ端末１００及び出力装置２００は、例えば、通話機能、電子メール機能、インターネット接続機能（Ｗｅｂアクセス機能）、デジタルテレビ放送（例えば、ワンセグ地上デジタルテレビ放送）を受信して視聴が可能なテレビ機能や、録画機能などを備える。録画機能は、テレビ放送などで受信したコンテンツを録画（録音を含む、以下、同様）する機能であって、録画に限らず、録音を行うコンテンツ記録機能も含む。
【００１６】
これらユーザ端末１００及び出力装置２００は、最寄りの基地局と交換機とを介して、インターネット７００に接続されると、投稿情報管理サーバ３００に保存されている投稿情報を受信し、受信した投稿情報を自身の表示部に表示させる。
また、ユーザ端末１００及び出力装置２００は、最寄りの基地局と交換機とを介して、インターネット７００に接続されると、動画、静止画、音楽、ニュース、音楽などのマルチメディアのコンテンツデータを、コンテンツ管理サーバ４００からダウンロードして再生するストリーミングも可能である。
【００１７】
さらに、ユーザ端末１００及び出力装置２００は、テレビ局５００から送信アンテナ６００を介して発信された地上波デジタル放送のコンテンツデータを受信する。なお、ユーザ端末１００及び出力装置２００は、インターネットラジオのようにインターネット７００を介してコンテンツ管理サーバ４００からデジタル放送をダウンロード受信したりすることもできる。このようにユーザ端末１００及び出力装置２００は、テレビ機能などを介して放送されるコンテンツデータを受信したり、インターネット接続機能を介してストリーミング用コンテンツデータをダウンロード受信したりすることができるようになっている。その他に、ユーザ端末１００及び出力装置２００は、着脱自在な可搬型メモリカードなどの記録メディアから各種コンテンツを取得するものであってもよい。
また、ユーザ端末１００及び出力装置２００は、Ｂｌｕｅｔｏｏｔｈ（登録商標）通信、赤外線通信などの近距離通信を介して、互いにコンテンツを送受信したり、他の外部機器から各種のコンテンツデータを取得するものであってもよい。
【００１８】
次に、ユーザ端末１００の構成の一例について説明する。
図１に示す通り、ユーザ端末１００は、通信部１０１と、センサ１０２と、タッチパネル１０３と、記憶部１０４と、テレビ放送受信部１０５と、制御部１０６とを備える。
通信部１０１は、インターネット７００を介して、投稿情報管理サーバ３００及びコンテンツ管理サーバ４００との間で情報の送受信を行う。また、通信部１０１は、ＬＡＮ８００を介して、出力装置２００との間で情報の送受信を行う。なお、通信部１０１は、インターネット７００を介して出力装置２００との間で情報の送受信を行うものであってもよい。
【００１９】
センサ１０２は、姿勢センサを含む。この姿勢センサは、例えば、ジャイロセンサと加速度センサを含み、検出した姿勢角を示す情報と加速度を示す情報に基づき、ユーザ端末１００の姿勢を示す情報（以下、姿勢情報という）を検出する。
また、センサ１０２は、タッチセンサや照度センサ、カメラ等を含むものであってもよい。タッチセンサ、照度センサ及びカメラは、ユーザ端末１００の側面等に設けられ、検出する静電容量や光量の変化に基づき、ユーザがユーザ端末１００を触っている状態であるか否かを示す情報を検出する。
【００２０】
タッチパネル１０３は、操作パネル１３１と表示部１３２とを含む。
操作パネル１３１は、ユーザからの操作を受け付けるセンサを備え、センサによる検出結果を制御部１０６に出力する。本実施形態において、操作パネル１３１は、操作画面に接触するユーザの指の接触位置を、一定の時間間隔ごとに、センサにより検出し、このセンサの検出結果を出力する。なお、本発明はこれに限られず、例えば、操作画面に近接するユーザの指や操作指示手段等の位置を非接触センサにより検出するものであってもよい。
表示部１３２は、制御部１０６の制御に応じた表示内容を表示する。本実施形態において、表示部１３２は、タッチパネル１０３として一体的に構成される操作パネル１３１の下面に設けられており、操作パネル１３１が操作を受け付ける際の操作画面を表示する。
【００２１】
記憶部１０４は、ユーザ端末１００の処理に用いる種々の情報を記憶する。なお、記憶部１０４は、例えば、ＳＤカード、ＩＣカードなど、着脱自在な可搬型メモリ（記録メディア）を含む構成であってもよく、図示しない所定の外部サーバ上にあってもよい。
例えば、この記憶部１０４は、ユーザから入力される操作に応じて本実施形態を実現するためのプログラムや各種のアプリケーションなどを記憶する。この記憶部１０４は、例えば、投稿情報の投稿及び表示を実行するためのアプリケーション（以下、投稿アプリという）を記憶している。
また、記憶部１０４は、ユーザ端末１００が動作するために必要な各種の情報を一時的に記憶するワーク領域を備える。
さらに、記憶部１０４は、テレビ放送受信部１０５が受信したテレビ放送のコンテンツデータや、通信部１０１がコンテンツ管理サーバ４００から受信したコンテンツデータを記憶する。なお、記憶部１０４には、コンテンツデータとともに受信したコンテン情報も記憶する。このコンテンツ情報とは、個々のコンテンツを識別するための固有の識別情報や、コンテンツの属性又は内容を示すコンテンツ関連情報とを含む情報である。このコンテンツ関連情報には、例えば、当該コンテンツである番組を放送しているテレビ局の名前や、テレビ番組内容を示す情報（出演者名、ジャンル名等）が含まれる。
【００２２】
テレビ放送受信部１０５は、テレビ放送用に決められた周波数の電波を受信するアンテナを備え、テレビ機能を構成するもので、携帯端末向けのワンセグ地上波デジタルテレビ放送のコンテンツデータのほか、コンテンツの内容に関連する情報（以下、コンテンツ関連情報という）や電子番組表（ＥＰＧ情報）などの番組情報も含めて受信する。このテレビ放送受信部１０５は、テレビ用のアンテナによって受信したテレビ放送データの中から予め選局されているチャンネルの放送データを抽出するアナログ回路部と、放送データに対してデジタル変調するデジタル回路部とを備える。このデジタル回路部は、例えば、受信した放送データをＯＦＤＭ（直交周波数分割多重）復調したり、多重化されている放送データから映像、音声、データ（文字データ）を分離して復号化したり、圧縮データの解凍などを行う。
【００２３】
制御部１０６は、記憶部１０４に格納されている各種情報を読み出し、ユーザ端末１００を統括的に制御する。この制御部１０６は、操作内容判定部１６１と、表示制御部１６２と、投稿管理部１６３と、アプリケーション管理部１６４とを備える。なお、投稿管理部１６３は、記憶部１０４に記憶されている投稿アプリがアプリケーション管理部１６４によって起動されることにより生成される構成である。
【００２４】
操作内容判定部１６１は、センサ１０２から出力される姿勢情報に基づき、投稿アプリを起動するための操作として予め決められた操作を検出したか否かを判定する。例えば、操作内容判定部１６１は、姿勢情報に基づきユーザ端末１００の運動量を算出し、算出した運動量が予め決められた閾値（以下、第１閾値という）を超えたか否かを判定する。算出した運動量が第１閾値を超えたと判定した場合、又、算出した運動量が第１閾値を超えた回数が所定の回数以上であると判定した場合、操作内容判定部１６１は、投稿アプリを起動するための操作として予め決められた操作を検出したことを判定する。なお、本発明はこれに限られず、操作内容判定部１６１は、センサ１０２が検出した姿勢角を示す情報に基づき、ユーザ端末１００が傾けられている場合（つまり、水平状態でない場合）、投稿アプリを起動するための操作として予め決められた操作を検出したことを判定するものであってもよい。さらに、操作内容判定部１６１は、センサ１０２に含まれるタッチセンサや照度センサの検出結果に基づき、ユーザがユーザ端末１００を触っている状態であると判定した場合、又、操作パネル１３１の検出結果に基づきユーザがユーザ端末１００のタッチパネル１０３を操作していると判定した場合、投稿アプリを起動するための操作として予め決められた操作を検出したことを判定するものであってもよい。
つまり、操作内容判定部１６１は、ユーザ端末１００が持ち上げられた場合、ユーザ端末１００が数回振られた場合、ユーザ端末１００がユーザに触られた場合、又は、ユーザ端末１００のタッチパネルがユーザにより操作された場合、投稿アプリを起動するための操作を検出したことを判定する。
【００２５】
また、操作内容判定部１６１は、センサ１０２から出力される姿勢情報に基づき、投稿アプリを終了するための操作として予め決められた操作を検出したか否かを判定する。例えば、操作内容判定部１６１は、姿勢情報に基づきユーザ端末１００の運動量を算出し、算出した運動量が予め決められた閾値（以下、第２閾値という）を下回ったか否かを判定する。算出した運動量が第２閾値を下回ったと判定した場合、操作内容判定部１６１は、投稿アプリを終了するための操作として予め決められた操作を検出したことを判定する。なお、本発明はこれに限られず、操作内容判定部１６１は、センサ１０２が検出した姿勢角を示す情報に基づき、ユーザ端末１００が傾けられていない場合（つまり、水平状態である場合）、投稿アプリを終了するための操作として予め決められた操作を検出したことを判定するものであってもよい。さらに、操作内容判定部１６１は、センサ１０２に含まれるタッチセンサや照度センサの検出結果に基づき、ユーザがユーザ端末１００を触っていない状態であると判定した場合、又、操作パネル１３１の検出結果に基づきユーザがユーザ端末１００のタッチパネル１０３を操作していないと判定した場合、投稿アプリを終了するための操作として予め決められた操作を検出したことを判定するものであってもよい。
つまり、操作内容判定部１６１は、ユーザ端末１００が静止された場合、ユーザ端末１００が水平の台に載置された場合、ユーザがユーザ端末１００に触れていない場合、又は、ユーザがユーザ端末１００のタッチパネルを操作していない場合、投稿アプリを終了するための操作を検出したことを判定する。
【００２６】
さらに、操作内容判定部１６１は、操作パネル１３１からの出力に基づき、操作パネル１３１が受け付けた操作内容を判定する。例えば、操作内容判定部１６１は、操作パネル１３１の検出結果が示すユーザの指の接触位置および接触時間から、ユーザの指の動きを判定する。また、操作内容判定部１６１は、判定したユーザの指の動きと、当該操作を受け付けた際に表示部１３２に表示されている画像との位置関係に基づき、判定したユーザの指の動きが示す操作内容を判定する。
例えば、操作内容判定部１６１は、表示画面のアイコン部分やテキスト部分にユーザの指が接触する操作を操作パネル１３１が検出した場合、その操作がタッチ操作であると判定する。また、操作内容判定部１６１は、タッチ操作によりアイコン部分や所定の操作領域が指示されている状態のまま、指が移動する操作を操作パネル１３１が検出した場合、その操作がスライド操作であると判定する。
【００２７】
表示制御部１６２は、操作内容判定部１６１による判定結果が示す操作内容に基づき、表示部１３２に画像を表示させる制御や、スピーカーから音を出力させる制御を実行する。
【００２８】
投稿管理部１６３は、入力された情報をＷＥＢ上に投稿する処理、投稿情報管理サーバ３００が保持している投稿情報をタッチパネル１０３に表示する処理を実行する。また、投稿管理部１６３は、出力装置２００に表示されている映像コンテンツを示すコンテンツ情報に基づき、出力装置２００に表示されている映像コンテンツに応じた分類情報（例えば、ハッシュタグ）を設定する。この投稿管理部１６３は、ユーザ端末１００が受信したコンテンツデータを出力装置２００に転送している場合、転送しているコンテンツデータのコンテンツ情報に基づき、また、出力装置２００が受信したコンテンツデータに基づき出力装置２００が映像コンテンツを表示している場合、出力装置２００から受信したコンテンツ情報に基づき、出力装置２００に表示されている映像コンテンツに応じたハッシュタグを設定する。
分類情報とは、ＷＥＢ上に投稿された複数の投稿情報を分類するための情報であって、本実施形態ではハッシュタグである。
【００２９】
なお、ハッシュタグとは、ツイッター（登録商標）において用いられる分類情報である。ハッシュタグを含む投稿情報を投稿した場合、ハッシュタグを含む投稿情報と当該ハッシュタグを含まない他の投稿情報とを分類することができる。また、複数の投稿情報の中からハッシュタグを含む投稿情報のみを検索する場合に、検索キーとして用いられる。なお、ハッシュタグを検索キーとする検索は、ハッシュタグが示す関連情報を投稿したいというユーザの積極的な意思がある場合に有益である。
例えば、投稿情報に含まれるキーワード検索を用いても、キーワードに関連する投稿情報を検索することはできるが、このキーワードを含む文字列を投稿しなければ検索することができず、自由な文字列で投稿するための障害となる。また、投稿する文書とキーワードとを同等に表記するならば、投稿する文書内容の理解をキーワードが邪魔するおそれがある。
このため、キーワードを用いずに投稿情報同士を関連づける方法として、ハッシュタグが用いられる。このハッシュタグは、キーワードをアルファベットや漢字、ひらがな、カタカナ等で表記した文字列の先頭にシャープ記号「♯」を付加した情報であって、前後にスペースを入力するということ以外は、ユーザが自由に決定することができる。よって、キーワードとなる文字列はユーザが決定することができ、あるユーザによって生成されることもある。
【００３０】
アプリケーション管理部１６４は、操作内容判定部１６１の判定結果に基づき、投稿アプリの起動及び終了を制御する。操作内容判定部１６１により投稿アプリを起動するための操作を検出したことが判定された場合、アプリケーション管理部１６４は、記憶部１０４に記憶されている投稿アプリを起動し、投稿管理部１６３を生成する。一方、操作内容判定部１６１により投稿アプリを終了するための操作を検出したことが判定された場合、アプリケーション管理部１６４は、投稿アプリを終了し、投稿管理部１６３を削除する。
【００３１】
次に、出力装置２００の構成の一例について説明する。
図１に示す通り、出力装置２００は、通信部２０１と、表示部２０２と、リモコン受信部２０３と、記憶部２０４と、テレビ放送受信部２０５と、制御部２０６とを備える。
通信部２０１は、インターネット７００を介して、投稿情報管理サーバ３００及びコンテンツ管理サーバ４００との間で情報の送受信を行う。また、通信部２０１は、ＬＡＮ８００を介して、ユーザ端末１００との間で情報の送受信を行う。なお、通信部２０１は、インターネット７００を介してユーザ端末１００との間で情報の送受信を行うものであってもよい。
【００３２】
表示部２０２は、制御部２０６の制御に応じた表示内容を表示する。
リモコン受信部２０３は、例えばリモコンから出射される赤外線を受信し、受信した赤外線に基づき指示された操作内容を検出する。このリモコン受信部２０３は、検出した操作内容を示す情報を制御部２０６に出力する。
【００３３】
記憶部２０４は、出力装置２００の処理に用いる種々の情報を記憶する。なお、記憶部２０４は、例えば、ＳＤカード、ＩＣカードなど、着脱自在な可搬型メモリ（記録メディア）を含む構成であってもよく、図示しない所定の外部サーバ上にあってもよい。
例えば、この記憶部２０４は、ユーザから入力される操作に応じて本実施形態を実現するためのプログラムや各種のアプリケーションなどを記憶する。この記憶部２０４は、例えば、投稿アプリを記憶している。
また、記憶部２０４は、出力装置２００が動作するために必要な各種の情報を一時的に記憶するワーク領域を備える。
さらに、記憶部２０４は、テレビ放送受信部２０５が受信したテレビ放送のコンテンツデータや、通信部２０１がコンテンツ管理サーバ４００から受信したコンテンツデータを記憶する。なお、記憶部２０４には、コンテンツデータとともに受信したコンテン情報も記憶する。
【００３４】
テレビ放送受信部２０５は、テレビ放送用に決められた周波数の電波を受信するアンテナを備え、テレビ機能を構成するもので、地上波デジタルテレビ放送のコンテンツデータのほか、コンテンツの内容に関連する情報（コンテンツ関連情報）や電子番組表（ＥＰＧ情報）などの番組情報も含めて受信する。このテレビ放送受信部２０５は、テレビ用のアンテナによって受信したテレビ放送データの中から予め選局されているチャンネルの放送データを抽出するアナログ回路部と、放送データに対してデジタル変調するデジタル回路部とを備える。このデジタル回路部は、例えば、受信した放送データをＯＦＤＭ（直交周波数分割多重）復調したり、多重化されている放送データから映像、音声、データ（文字データ）を分離して復号化したり、圧縮データの解凍などを行う。
【００３５】
制御部２０６は、記憶部２０４に格納されている各種情報を読み出し、出力装置２００を統括的に制御する。この制御部２０６は、操作内容判定部２６１と、表示制御部２６２と、投稿管理部２６３と、アプリケーション管理部２６４とを備える。なお、投稿管理部２６３は、記憶部２０４に記憶されている投稿アプリがアプリケーション管理部２６４によって起動されることにより生成される構成である。
【００３６】
操作内容判定部２６１は、リモコン受信部２０３が検出した操作内容を示す情報に基づき、例えば、出力装置２００の電源のＯＮ／ＯＦＦの操作が入力されたことを判定したり、コンテンツの切り替え操作が入力されたことを判定する。
表示制御部２６２は、操作内容判定部２６１による判定結果が示す操作内容に基づき、表示部２０２に画像を表示させる制御や、スピーカーから音を出力させる制御を実行する。
【００３７】
投稿管理部２６３は、入力された情報をＷＥＢ上に投稿する処理、投稿情報管理サーバ３００が保持している投稿情報を表示部２０２に表示する処理を実行する。また、投稿管理部２６３は、表示部２０２に表示されている映像コンテンツを示すコンテンツ情報に基づき、表示部２０２に表示されている映像コンテンツに応じた分類情報（例えば、ハッシュタグ）を設定する。
【００３８】
アプリケーション管理部２６４は、ユーザ端末１００の指示に基づき、投稿アプリの起動及び終了を制御する。ユーザ端末１００により投稿アプリを起動するための操作を検出された場合、例えば、ユーザ端末１００から投稿アプリの起動を指示するコマンドを受信した場合、アプリケーション管理部２６４は、記憶部２０４に記憶されている投稿アプリを起動し、投稿管理部２６３を生成する。一方、ユーザ端末１００により投稿アプリを終了するための操作を検出された場合、例えば、ユーザ端末１００から投稿アプリの終了を指示するコマンドを受信した場合、アプリケーション管理部２６４は、投稿アプリを終了し、投稿管理部２６３を削除する。
【００３９】
投稿情報管理サーバ３００は、インターネット７００を介して、ユーザ端末１００又は出力装置２００との間で情報の送受信を行う。
例えば、ユーザ端末１００又は出力装置２００から投稿情報を受信した場合、受信した投稿情報をＷＥＢ上に投稿するとともに、投稿した時刻、投稿したユーザ名、ハッシュタグ等を対応付けて、投稿情報のデータベースに格納する。
また、投稿情報管理サーバ３００は、ユーザ端末１００又は出力装置２００から投稿情報のタイムライン画面の表示要求を受信した場合、この表示要求を受信した時刻から一定時間過去に投稿された投稿情報をデータベースから読み出し、ユーザ端末１００又は出力装置２００に送信する。なお、ユーザ端末１００又は出力装置２００からハッシュタグを受信した場合、このハッシュタグと対応付けられている投稿情報をユーザ端末１００又は出力装置２００に送信する。
【００４０】
コンテンツ管理サーバ４００は、インターネット７００を介して、ユーザ端末１００又は出力装置２００との間で情報の送受信を行う。
例えば、ユーザ端末１００又は出力装置２００からコンテンツデータの送信要求を受信した場合、要求されたコンテンツを。自身のデータベースから読み出し、ユーザ端末１００又は出力装置２００に送信する。
なお、コンテンツ管理サーバ４００は、例えば、ユーザ端末１００又は出力装置２００が受信したコンテンツデータを、ユーザ端末１００又は出力装置２００から受信し、自身のデータベースに格納するものであってもよい。
【００４１】
（投稿アプリがユーザ端末１００において起動する場合の処理）
次に、図２〜４を参照して、本実施形態に係る表示制御システムの動作例について説明する。ここでは、投稿アプリがユーザ端末１００において起動する場合の表示制御方法の一例を説明する。
図２は、本実施形態に係る表示制御システムの動作例を説明するためのシーケンス図である。
本実施形態において、出力装置２００は、通信部２０１を介して、ユーザ端末１００からコンテンツデータを受信することができる。また、出力装置２００は、テレビ放送受信部２０５を介して、テレビ局５００から配信されるコンテンツデータを受信することもできる。
【００４２】
（ステップＳＴ１０１）
そして、出力装置２００の表示制御部２６２は、ユーザ端末１００又はテレビ局５００から受信したコンテンツデータに基づき、映像コンテンツを表示部２０２に表示させる。なお、コンテンツデータに音声コンテンツデータも含まれている場合、制御部２０６はスピーカー（図示せず）から音声コンテンツを出力させる。
【００４３】
（ステップＳＴ１０２）
このように、出力装置２００の表示部２０２が映像コンテンツを再生している状態において、ユーザがユーザ端末１００を持ち上げたとする。この場合、ユーザ端末１００の操作内容判定部１６１は、投稿アプリを起動するため操作として予め決められた操作が検出されたことを判定する。また、ユーザ端末１００のアプリケーション管理部１６４は、例えば、テレビ放送受信部１０５を介して受信したコンテンツデータを出力装置２００に送信している場合、アプリケーション管理部１６４は、出力装置２００の表示部２０２が映像コンテンツを再生している状態であると判定する。
【００４４】
なお、ユーザ端末１００は、コンテンツデータを出力装置２００に送信している場合、出力装置２００が映像コンテンツを再生している状態であることを認識することができるが、出力装置２００がテレビ局５００からコンテンツデータを受信している場合、出力装置２００が映像コンテンツを再生している状態であることを認識することができない。よって、後者の場合、ユーザ端末１００は、出力装置２００が映像コンテンツを再生中であるか否かを確認するため、出力装置２００に対して再生中の映像コンテンツを示すコンテンツ情報の送信要求を送信するものであってもよい。出力装置２００は、映像コンテンツを再生している状態において、送信要求を受信した場合、再生中の映像コンテンツを示すコンテンツ情報をユーザ端末１００に送信するものであってもよい。
【００４５】
（ステップＳＴ１０３）
このようにして、出力装置２００の表示部２０２が映像コンテンツを再生している状態において、ユーザ端末１００が持ち上げられた場合、ユーザ端末１００のアプリケーション管理部１６４は、記憶部１０４を参照して、投稿アプリを起動させる。これにより、制御部１０６に投稿管理部１６３が生成される。
【００４６】
（ステップＳＴ１０４）
そして、ユーザ端末１００の投稿管理部１６３は、出力装置２００が再生している映像コンテンツに応じたハッシュタグを設定する。
なお、出力装置２００が再生している映像コンテンツは、リモコン等によって変更されている可能性がある。そこで、投稿管理部１６３は、ハッシュタグを設定する直前に、出力装置２００に対して再生中の映像コンテンツを示すコンテンツ情報の送信要求を送信するものであってもよい。出力装置２００は、この送信要求を受信した場合、再生中の映像コンテンツを示すコンテンツ情報をユーザ端末１００に送信するものであってもよい。
【００４７】
また、ユーザ端末１００の投稿管理部１６３は、通信部１０１を介して、出力装置２００において再生中の映像コンテンツに関連する投稿情報の送信要求を投稿情報管理サーバ３００に送信する。例えば、投稿管理部１６３は、設定したハッシュタグ又は出力装置２００において再生中の映像コンテンツを示すコンテンツ情報を投稿情報管理サーバ３００に送信する。投稿情報管理サーバ３００は、ハッシュタグ又はコンテンツ情報をユーザ端末１００から受信し、受信したハッシュタグ又はコンテンツ情報と関連付けられている投稿情報をデータベースから読み出し、インターネット７００を介してユーザ端末１００に送信する。
【００４８】
（ステップＳＴ１０５）
次いで、ユーザ端末１００の投稿管理部１６３は、投稿情報管理サーバ３００から受信した投稿情報に基づき投稿情報のタイムライン画面を作成し、タイムライン画面の表示開始を指示するコマンドをタイムライン画面を表示する情報とともに、出力装置２００に送信する。
【００４９】
（ステップＳＴ１０６）
出力装置２００は、ユーザ端末１００から投稿情報のタイムライン画面を表示する情報を受信すると、受信した情報に基づき、現在再生中の映像コンテンツとタイムライン画面とを同時に表示部２０２に表示させる。これにより、出力装置２００は、表示部２０２に表示しているコンテンツに応じた投稿情報のタイムライン画面を、映像コンテンツと同時に表示部２０２に表示することができる。
【００５０】
（ステップＳＴ１０７）
一方、ユーザ端末１００の投稿管理部１６３は、ＷＥＢ上に投稿する情報を入力するための入力画面をタッチパネル１０３に表示させるよう、表示制御部１６２に指示する。ここで、投稿管理部１６３は、ステップＳＴ１０４において設定したハッシュタグを入力情報として指定可能な入力画面を生成するものであってもよい。表示制御部１６２は、投稿管理部１６３からの指示に従い、入力画面をタッチパネル１０３に表示させる。
【００５１】
（ステップＳＴ１０８）
そして、ユーザが、タッチパネル１０３に表示されている入力画面を介して投稿情報を入力し、ＷＥＢへの投稿を指示したとする。
（ステップＳＴ１０９）
ユーザ端末１００の投稿管理部１６３は、入力された投稿情報を、通信部１０１を介して投稿情報管理サーバ３００に投稿（送信）する。これにより、投稿情報管理サーバ３００において管理する投稿情報が更新される。
【００５２】
（ステップＳＴ１１０）
そして、投稿アプリが起動している状態において、例えば机の上に、ユーザ端末１００が載置されたとする。これにより、ユーザ端末１００の操作内容判定部１６１は、投稿アプリを終了するため操作として予め決められた操作が検出されたことを判定する。
（ステップＳＴ１１１）
アプリケーション管理部１６４は、ユーザ端末１００が載置された時から、つまり、投稿アプリを終了するため操作として予め決められた操作が検出されたことを判定した時から、所定時間が経過した場合、投稿アプリを終了させる。例えば、アプリケーション管理部１６４は、投稿管理部１６３を削除する。
また、投稿管理部１６３は、タッチパネル１０３へのタイムライン画面の表示を終了することを表示制御部１６２に指示する。これにより、表示制御部１６２は、タッチパネル１０３に、例えば、メニュー画面等を表示させるものであってもよい。また、制御部１０６は、ユーザ端末１００の電源をＯＦＦにしてもよい。
【００５３】
（ステップＳＴ１１２）
さらに、投稿管理部１６３は、タイムライン画面の表示を終了することを出力装置２００に指示する。例えば、投稿管理部１６３は、通信部１０１を介して、タイムライン画面の表示終了を指示するコマンドを出力装置２００に送信する。
（ステップＳＴ１１３）
タイムライン画面の表示終了を指示するコマンドをユーザ端末１００から受信すると、出力装置２００の表示制御部２６２が、表示部２０２に表示されているタイムライン画面を消去し、表示部２０２の全面に映像コンテンツを表示させる。つまり、表示制御部２６２は、投稿情報のタイムライン画面と映像コンテンツを同時に表示する画面を、映像コンテンツを表示する画面に切り替える。
【００５４】
次に、図３，４を参照して、図２に示した表示制御システムによる表示制御方法の一例を説明する。
図３は、本実施形態に係る表示制御方法の一例を説明するためのフローチャートである。図４は、図３に示す本実施形態に係る表示制御方法の続きを説明するためのフローチャートである。
【００５５】
初めに、ユーザ端末１００における表示制御方法の一例について説明する。
（ステップＳＴ２０１）
ユーザ端末１００は、例えば電源ボタンが押下されることで電源がＯＮされる。
（ステップＳＴ２０２）
そして、操作内容判定部１６１は、センサ１０２からの出力に基づき、投稿アプリを起動するため操作として予め決められた操作が入力されたか否かを判定する。
（ステップＳＴ２０３）
また、アプリケーション管理部１６４は、出力装置２００の表示部２０２が映像コンテンツを再生している状態であるか否かを判定する。例えば、ユーザ端末１００が、テレビ放送受信部１０５を介して受信したコンテンツデータを出力装置２００に送信している場合、アプリケーション管理部１６４は、出力装置２００の表示部２０２が映像コンテンツを再生している状態であると判定する。また、アプリケーション管理部１６４は、再生中の映像コンテンツを示すコンテンツ情報を出力装置２００から受信した場合、出力装置２００の表示部２０２が映像コンテンツを再生している状態であると判定する。
【００５６】
（ステップＳＴ２０４）
ステップＳＴ２０２において投稿アプリを起動するため操作として予め決められた操作が入力されたことを操作内容判定部１６１が判定し、且つ、ステップＳＴ２０３において出力装置２００の表示部２０２が映像コンテンツを再生している状態であることをアプリケーション管理部１６４が判定した場合、アプリケーション管理部１６４は、投稿アプリを起動させる。これにより、制御部１０６に投稿管理部１６３が生成される。
【００５７】
（ステップＳＴ２０５）
そして、投稿管理部１６３は、出力装置２００が再生している映像コンテンツに応じたハッシュタグを設定する。
例えば、出力装置２００が再生している映像コンテンツがサッカー番組である場合、投稿管理部１６３は、この映像コンテンツを示すコンテンツ情報（サッカー）に基づき、サッカーに関連するハッシュタグを設定する。
また、投稿管理部１６３は、コンテンツ情報（サッカー）を投稿情報管理サーバ３００に送信し、投稿情報管理サーバ３００のデータベースにおいて登録されているサッカーに関連するハッシュタグの送信を要求するものであってもよい。なお、投稿管理部１６３は、少なくとも一つのハッシュタグを設定することができ、複数のハッシュタグを設定するものであってもよい。
【００５８】
（ステップＳＴ２０６）
次いで、投稿管理部１６３は、出力装置２００において再生中のコンテンツに応じた投稿情報のタイムライン画面を作成する。例えば、投稿管理部１６３は、設定したハッシュタグ、又は出力装置２００において再生中の映像コンテンツを示すコンテンツ情報を投稿情報管理サーバ３００に送信する。投稿情報管理サーバ３００は、ハッシュタグ又はコンテンツ情報をユーザ端末１００から受信し、受信したハッシュタグ又はコンテンツ情報と関連付けられている投稿情報をデータベースから読み出し、インターネット７００を介してユーザ端末１００に送信する。そして、投稿管理部１６３は、投稿情報管理サーバ３００から受信した投稿情報に基づき投稿情報のタイムライン画面を作成する。
この投稿管理部１６３は、タイムライン画面の表示開始を指示するコマンドを、作成したタイムライン画面を表示する情報とともに、出力装置２００に送信する。
【００５９】
（ステップＳＴ２０７）
そして、投稿管理部１６３は、ステップＳＴ１０４において設定したハッシュタグを入力情報として指定可能な入力画面を生成し、表示制御部１６２に対して入力画面の表示を指示する。表示制御部１６２は、投稿管理部１６３からの指示に従い、入力画面をタッチパネル１０３に表示させる。
【００６０】
（ステップＳＴ２０８）
次いで、操作内容判定部１６１は、操作パネル１３１からの出力に基づき、入力画面に対して情報が入力されたか否かを判定する。
【００６１】
（ステップＳＴ２０９）
操作内容判定部１６１が、入力画面に対して情報が入力されたことを判定した場合、投稿管理部１６３は、入力された投稿情報を、通信部１０１を介して投稿情報管理サーバ３００に投稿（送信）する。
次いで、投稿管理部１６３は、更新された投稿情報を含む投稿情報のタイムライン画面を生成し、タッチパネル１０３に表示させるよう、表示制御部１６２に指示する。ここで、投稿管理部１６３は、ステップＳＴ２０５において設定したハッシュタグ、又は、出力装置２００において再生中の映像コンテンツを含むコンテンツ情報に関連付けられた投稿情報を投稿情報管理サーバ３００から再度受信し、投稿情報管理サーバ３００から受信した投稿情報に基づき、タイムライン画面を生成するものであってもよい。また、投稿管理部１６３は、ステップＳＴ２０６において受信している投稿情報と、投稿情報管理サーバ３００に投稿した投稿情報に基づき、タイムライン画面を生成するものであってもよい。表示制御部１６２は、投稿管理部１６３からの指示に従い、タイムライン画面をタッチパネル１０３に表示させる。
【００６２】
（ステップＳＴ２１０）
そして、投稿管理部１６３は、出力装置２００において再生している映像コンテンツが変更されたか否かを判定する。例えば、投稿管理部１６３は、出力装置２００から受信したコンテンツ情報が変化した場合、又は、テレビ放送受信部１０５が受信している映像コンテンツが変化した場合、出力装置２００において再生している映像コンテンツが変更されたことを判定する。
出力装置２００において再生している映像コンテンツが変更されたことを判定した場合、投稿管理部１６３は、ステップＳＴ２０５に戻って処理を繰り返す。
【００６３】
図４を参照して続きの処理を説明する。
（ステップＳＴ２１１）
出力装置２００において再生している映像コンテンツが変更されていないと判定された場合、操作内容判定部１６１は、センサ１０２の出力に基づき、投稿アプリを終了するため操作として予め決められた操作が入力されたか否かを判定する。
（ステップＳＴ２１２）
また、操作内容判定部１６１は、センサ１０２の出力に基づき、投稿アプリを起動するため操作として予め決められた操作が入力されたか否かを判定する。
（ステップＳＴ２１３）
そして、操作内容判定部１６１によって、投稿アプリを終了するため操作として予め決められた操作が入力されたことが判定された場合、アプリケーション管理部１６４は、ユーザ端末１００が載置された時から、つまり、投稿アプリを終了するため操作として予め決められた操作が検出されたことを判定した時から、所定時間が経過したか否かを判定する。例えば、アプリケーション管理部１６４は、ユーザ端末１００が台の上に載置されていると判定した時から、ユーザ端末１００が持ち上げられていない状態が、所定時間以上経過したか否かを判定する。
【００６４】
（ステップＳＴ２１４）
ステップＳＴ２１１において、投稿アプリを終了するため操作として予め決められた操作が入力されたことが判定された時から、投稿アプリを起動するため操作として予め決められた操作が入力されたことが判定されず、且つ、所定の時間が経過したことが判定された場合、投稿管理部１６３は、通信部１０１を介して、タイムライン画面の表示終了を指示するコマンドを出力装置２００に送信する。
（ステップＳＴ２１５）
そして、投稿管理部１６３は、投稿アプリを終了させる。
（ステップＳＴ２１６）
一方、ステップＳＴ２１１において、投稿アプリを終了するため操作として予め決められた操作が入力されていないと判定された場合、又は、ステップＳＴ２１２において、投稿アプリを起動するため操作として予め決められた操作が入力されたと判定された場合、投稿情報のタイムライン画像又は入力画面の表示を継続する。つまり、ユーザ端末１００は、ステップＳＴ２０６、ステップＳＴ２０７、ステップＳＴ２０９等の投稿アプリによる処理を継続し、投稿情報のタイムライン画像又は入力画面を、ユーザ端末１００や出力装置２００に表示される。
【００６５】
次に、図３に戻って、出力装置２００における表示制御方法の一例について説明する。
（ステップＳＴ３０１）
出力装置２００は、ユーザ端末１００から投稿情報のタイムライン画面を表示する情報を受信すると、受信した情報に基づき、現在再生中の映像コンテンツとタイムライン画面とを同時に表示部２０２に表示させる。これにより、出力装置２００は、再生中の映像コンテンツに対応する投稿情報のタイムライン画面を、映像コンテンツと同時に表示部２０２に表示することができる。
（ステップＳＴ３０２）
また、出力装置２００は、ユーザ端末１００からＷＥＢ上に投稿情報が投稿された場合、更新された投稿情報のタイムライン画像を表示する情報をユーザ端末１００から受信する。これにより、出力装置２００は、最新の投稿情報を含むタイムライン画面を、映像コンテンツと同時に表示部２０２に表示することができる。
図４を参照して続きの処理を説明する。
（ステップＳＴ３０３）
さらに、出力装置２００は、タイムライン画面の表示終了を指示するコマンドをユーザ端末１００から受信する。これにより、出力装置２００の表示制御部２６２が、表示部２０２に表示されているタイムライン画面を消去し、表示部２０２の全面に映像コンテンツを表示させる。
【００６６】
（投稿アプリを出力装置２００において起動する場合の処理）
次に、図５〜７を参照して、本実施形態に係る表示制御システムの動作例について説明する。ここでは、投稿アプリを出力装置２００において起動する場合の表示制御方法の一例を説明する。
図５は、本実施形態に係る表示制御システムの動作例を説明するためのシーケンス図である。
本実施形態において、出力装置２００は、通信部２０１を介して、ユーザ端末１００からコンテンツデータを受信することができる。また、出力装置２００は、テレビ放送受信部２０５を介して、テレビ局５００から配信されるコンテンツデータを受信することもできる。
【００６７】
（ステップＳＴ４０１）
そして、出力装置２００の表示制御部２６２は、ユーザ端末１００又はテレビ局５００から受信したコンテンツデータに基づき、映像コンテンツを表示部２０２に表示させる。なお、コンテンツデータに音声コンテンツデータも含まれている場合、制御部２０６はスピーカー（図示せず）から音声コンテンツを出力させる。
【００６８】
（ステップＳＴ４０２）
このように、出力装置２００の表示部２０２が映像コンテンツを再生している状態において、ユーザがユーザ端末１００を持ち上げたとする。この場合、ユーザ端末１００の操作内容判定部１６１は、投稿アプリを起動するため操作として予め決められた操作が検出されたことを判定する。
（ステップＳＴ４０３）
そして、操作内容判定部１６１は、投稿アプリを起動するため操作として予め決められた操作が検出されたことを示す情報、又は、投稿アプリの起動を指示するコマンドを、通信部１０１を介して出力装置２００に送信する。
【００６９】
そして、出力装置２００のアプリケーション管理部２６４は、表示制御部２６２が表示部２０２に映像コンテンツを表示させている場合、映像コンテンツを再生している状態であると判定する。
【００７０】
（ステップＳＴ４０４）
このようにして、出力装置２００の表示部２０２が映像コンテンツを再生している状態において、ユーザ端末１００が持ち上げられた場合、出力装置２００のアプリケーション管理部２６４は、記憶部２０４を参照して、投稿アプリを起動させる。これにより、制御部２０６に投稿管理部２６３が生成される。
【００７１】
（ステップＳＴ４０５）
そして、出力装置２００の投稿管理部２６３は、表示部２０２が再生している映像コンテンツに応じたハッシュタグを設定する。
なお、出力装置２００が再生している映像コンテンツは、リモコン等によって変更されている可能性がある。そこで、投稿管理部２６３は、ハッシュタグを設定する直前に、再生中の映像コンテンツに関連する投稿情報の送信要求を投稿情報管理サーバ３００に送信するものであってもよい。例えば、投稿管理部２６３は、設定したハッシュタグ又は再生中の映像コンテンツを示すコンテンツ情報を投稿情報管理サーバ３００に送信する。投稿情報管理サーバ３００は、ハッシュタグ又はコンテンツ情報を出力装置２００から受信し、受信したハッシュタグ又はコンテンツ情報と関連付けられている投稿情報をデータベースから読み出し、インターネット７００を介して出力装置２００に送信する。
【００７２】
（ステップＳＴ４０６）
そして、出力装置２００の投稿管理部２６３は、ＷＥＢ上に投稿する情報を入力するための入力画面を作成し、入力画面の表示開始を指示するコマンドを、タイムライン画面を表示する情報とともに、出力装置２００に送信する。ここで、投稿管理部２６３は、ステップＳＴ４０５において設定したハッシュタグを入力情報として指定可能な入力画面を生成するものであってもよい。
（ステップＳＴ４０７）
ユーザ端末１００の表示制御部１６２は、出力装置２００から投稿情報の入力画面を表示する情報を受信すると、受信した情報に基づき、入力画面をタッチパネル１０３に表示させる。
【００７３】
（ステップＳＴ４０８）
次いで、出力装置２００の投稿管理部２６３は、投稿情報管理サーバ３００から受信した投稿情報に基づき投稿情報のタイムライン画面を作成し、表示部２０２に映像コンテンツと同時に表示させるよう、表示制御部２６２に指示する。表示制御部２６２は、投稿管理部２６３からの指示に従い、投稿情報のタイムライン画面を表示部２０２に表示させる。
【００７４】
（ステップＳＴ４０９）
そして、ユーザが、タッチパネル１０３に表示されている入力画面を介して投稿情報を入力し、ＷＥＢへの投稿を指示したとする。
（ステップＳＴ４１０）
ユーザ端末１００の制御部１０６は、入力された投稿情報を、通信部１０１を介して投稿情報管理サーバ３００に投稿（送信）する。これにより、投稿情報管理サーバ３００において管理する投稿情報が更新される。
（ステップＳＴ４１１）
一方、出力装置２００の投稿管理部２６３は、一定時間間隔ごとに、投稿された最新の投稿情報を投稿情報管理サーバ３００から受信している。よって、投稿管理部２６３は、ユーザ端末１００によって投稿された投稿情報を含む最新の投稿情報のタイムライン画像を生成する。表示制御部２６２は、映像コンテンツと同時に、更新された最新の投稿情報のタイムライン画像を表示部２０２に表示させる。
【００７５】
（ステップＳＴ４１２）
次いで、投稿アプリが起動している状態において、例えば机の上に、ユーザ端末１００が載置されたとする。これにより、ユーザ端末１００の操作内容判定部１６１は、投稿アプリを終了するため操作として予め決められた操作が検出されたことを判定する。
（ステップＳＴ４１３）
そして、操作内容判定部１６１は、投稿アプリを終了するため操作として予め決められた操作が検出されたことを示す情報、又は、投稿アプリの終了を指示するコマンドを、通信部１０１を介して出力装置２００に送信する。
【００７６】
（ステップＳＴ４１４）
出力装置２００のアプリケーション管理部２６４は、ユーザ端末１００が載置された時から、つまり、投稿アプリを終了するため操作として予め決められた操作が検出されたことを判定した時から、所定時間が経過した場合、投稿アプリを終了させる。例えば、アプリケーション管理部２６４は、投稿管理部２６３を削除する。
また、投稿管理部２６３は、タイムライン画面の表示を終了することを表示制御部２６２に指示する。これにより、表示制御部２６２が、表示部２０２に表示されているタイムライン画面を消去し、表示部２０２の全面に映像コンテンツを表示させる。つまり、表示制御部２６２は、投稿情報のタイムライン画面と映像コンテンツを同時に表示する画面を、映像コンテンツを表示する画面に切り替える。
【００７７】
（ステップＳＴ４１５）
また、投稿管理部２６３は、タッチパネル１０３へのタイムライン画面の表示を終了することを指示するコマンドを、ユーザ端末１００に送信する。
（ステップＳＴ４１６）
これにより、ユーザ端末１００の表示制御部１６２は、タッチパネル１０３に、例えば、メニュー画面等を表示させるものであってもよい。また、制御部１０６は、ユーザ端末１００の電源をＯＦＦにしてもよい。
【００７８】
次に、図６，７を参照して、図５に示した表示制御システムによる表示制御方法の一例を説明する。
図６は、本実施形態に係る表示制御方法の一例を説明するためのフローチャートである。図７は、図６に示す本実施形態に係る表示制御方法の続きを説明するためのフローチャートである。
【００７９】
初めに、ユーザ端末１００における表示制御方法の一例について説明する。
（ステップＳＴ５０１）
ユーザ端末１００は、例えば電源ボタンが押下されることで電源がＯＮされる。
（ステップＳＴ５０２）
そして、操作内容判定部１６１は、センサ１０２からの出力に基づき、投稿アプリを起動するため操作として予め決められた操作が入力されたか否かを判定する。
【００８０】
（ステップＳＴ５０３）
投稿アプリを起動するため操作として予め決められた操作が入力されたことを操作内容判定部１６１が判定した場合、操作内容判定部１６１は、投稿アプリの起動を指示するコマンドを出力装置２００に送信する。
【００８１】
（ステップＳＴ５０４）
そして、表示制御部１６２は、出力装置２００から投稿情報の入力画面を表示する情報を受信した場合、例えば、出力装置２００において設定された再生中の映像コンテンツに応じたハッシュタグを入力情報として指定可能な入力画面をタッチパネル１０３に表示させる。
【００８２】
（ステップＳＴ５０５）
次いで、操作内容判定部１６１は、操作パネル１３１からの出力に基づき、入力画面に対して情報が入力されたか否かを判定する。
【００８３】
（ステップＳＴ５０６）
操作内容判定部１６１は、入力画面に対して情報が入力されたことを判定した場合、入力された投稿情報を、通信部１０１を介して投稿情報管理サーバ３００に投稿（送信）する。
（ステップＳＴ５０７）
そして、表示制御部１６２は、出力装置２００から投稿情報のタイムライン画面を表示する情報を受信した場合、例えば、出力装置２００において再生中の映像コンテンツに応じた投稿情報のタイムライン画面をタッチパネル１０３に表示させる。
【００８４】
図７を参照して続きの処理を説明する。
（ステップＳＴ５０８）
次いで、操作内容判定部１６１は、センサ１０２の出力に基づき、投稿アプリを終了するため操作として予め決められた操作が入力されたか否かを判定する。
（ステップＳＴ５０９）
例えばユーザ端末１００が台の上に載置され、投稿アプリを終了するため操作として予め決められた操作が入力されたと判定した場合、操作内容判定部１６１は、投稿アプリを終了するため操作が入力されたことを示す情報を、通信部１０１を介して、出力装置２００に送信する。
【００８５】
（ステップＳＴ５１０）
また、操作内容判定部１６１は、センサ１０２の出力に基づき、投稿アプリを起動するため操作として予め決められた操作が入力されたか否かを判定する。
（ステップＳＴ５１１）
例えばユーザ端末１００が持ち上げられ、投稿アプリを起動するため操作として予め決められた操作が入力されたと判定した場合、操作内容判定部１６１は、投稿アプリを起動するため操作が入力されたことを示す情報を、通信部１０１を介して、出力装置２００に送信する。
【００８６】
（ステップＳＴ５１２）
そして、表示制御部１６２は、通信部１０１を介して、投稿情報のタイムライン画面の表示終了を指示するコマンドを出力装置２００から受信したか否かを判定する。
（ステップＳＴ５１３）
投稿情報のタイムライン画面の表示終了を指示するコマンドを出力装置２００から受信した場合、表示制御部１６２は、例えば、メニュー画面等をタッチパネル１０３に表示させる。また、制御部１０６は、ユーザ端末１００の電源をＯＦＦにしてもよい。
【００８７】
次に、図６に戻って、出力装置２００における表示制御方法の一例について説明する。
（ステップＳＴ６０１）
出力装置２００は、例えば電源ボタンが押下されることで電源がＯＮされる。
（ステップＳＴ６０２）
そして、出力装置２００のアプリケーション管理部２６４は、表示部２０２において映像コンテンツが再生中であるか否かを判定する。
（ステップＳＴ６０３）
また、アプリケーション管理部２６４は、ユーザ端末１００から投稿アプリの起動を指示するコマンドを受信したか否かを判定する。つまり、アプリケーション管理部２６４は、ユーザ端末１００から受信する情報に基づき、例えば、ユーザ端末１００が持ち上げられたか否かを判定する。
【００８８】
（ステップＳＴ６０４）
ステップＳＴ６０２において、表示部２０２において映像コンテンツが再生中であることを判定し、且つ、ステップＳＴ６０３においてユーザ端末１００から投稿アプリの起動を指示するコマンドを受信したことを判定した場合、アプリケーション管理部２６４は、投稿アプリを起動させる。これにより、制御部２０６に投稿管理部２６３が生成される。
（ステップＳＴ６０５）
そして、投稿管理部２６３は、表示部２０２において再生中の映像コンテンツに応じたハッシュタグを設定する。
【００８９】
（ステップＳＴ６０６）
そして、投稿管理部２６３は、ステップＳＴ６０５において設定したハッシュタグを入力情報として指定可能な入力画面を生成し、生成した入力画面を表示する情報とともに、入力画面の表示を指示するコマンドを、ユーザ端末１００に送信する。
（ステップＳＴ６０７）
また、投稿管理部２６３は、表示部２０２において再生中の映像コンテンツに応じた投稿情報のタイムライン画面を作成する。例えば、投稿管理部２６３は、設定したハッシュタグ、又は再生中の映像コンテンツを示すコンテンツ情報を投稿情報管理サーバ３００に送信する。投稿情報管理サーバ３００は、ハッシュタグ又はコンテンツ情報をユーザ端末１００から受信し、受信したハッシュタグ又はコンテンツ情報と関連付けられている投稿情報をデータベースから読み出し、インターネット７００を介して出力装置２００に送信する。そして、投稿管理部２６３は、投稿情報管理サーバ３００から受信した投稿情報に基づき投稿情報のタイムライン画面を作成する。
この表示制御部２６２は、再生中の映像コンテンツと同時に、作成されたタイムライン画面を表示部２０２に表示させる。
【００９０】
（ステップＳＴ６０８）
また、投稿管理部２６３は、一定時間間隔ごとに、投稿された最新の投稿情報を投稿情報管理サーバ３００から受信している。つまり、投稿管理部２６３は、投稿情報の更新があったか否かを判定している。
（ステップＳＴ６０９）
更新があった場合、投稿管理部２６３は、ユーザ端末１００によって投稿された投稿情報を含む最新の投稿情報のタイムライン画像を生成する。表示制御部２６２は、映像コンテンツと同時に、更新された最新の投稿情報のタイムライン画像を表示部２０２に表示させる。
【００９１】
（ステップＳＴ６１０）
そして、投稿管理部２６３は、再生中の映像コンテンツが変更されたか否かを判定する。例えば、投稿管理部２６３は、ユーザ端末１００から受信したコンテンツ情報が変化した場合、又は、テレビ放送受信部２０５が受信している映像コンテンツが変化した場合、表示部２０２が再生する映像コンテンツが変更されたことを判定する。
再生中の映像コンテンツが変更されたことを判定した場合、投稿管理部２６３は、ステップＳＴ６０５に戻って処理を繰り返す。
【００９２】
図７を参照して続きの処理を説明する。
（ステップＳＴ６１１）
再生中の映像コンテンツが変更されていないと判定された場合、投稿管理部２６３は、投稿アプリを終了するため操作が入力されたことを示す情報をユーザ端末１００から受信したか否かを判定する。つまり、投稿管理部２６３は、ユーザ端末１００が台の上に載置されたか否かを判定する。
（ステップＳＴ６１２）
また、投稿管理部２６３は、投稿アプリを起動するため操作が入力されたことを示す情報をユーザ端末１００から受信したか否かを判定する。つまり、投稿管理部２６３は、ユーザ端末１００が持ち上げられたか否かを判定する。
（ステップＳＴ６１３）
そして、投稿管理部２６３は、投稿アプリを終了するため操作が入力されたことを示す情報を受信した場合、投稿アプリを終了するため操作が入力されたことを示す情報をユーザ端末１００から受信した時から、つまり、投稿アプリを終了するため操作として予め決められた操作が検出されたことを判定した時から、所定時間が経過したか否かを判定する。例えば、投稿管理部２６３は、投稿アプリを終了するため操作が入力されたことを示す情報を受信した時から、投稿アプリを起動するため操作が入力されたことを示す情報を受信していない状態が、所定時間以上経過したか否かを判定する。
【００９３】
（ステップＳＴ６１４）
ステップＳＴ６１１において、投稿アプリを終了するため操作が入力されたことを示す情報をユーザ端末１００から受信した時から、投稿アプリを起動するため操作が入力されたことを示す情報を受信しておらず、且つ、所定の時間が経過したことが判定された場合、投稿管理部２６３は、通信部２０１を介して、タイムライン画面の表示終了を指示するコマンドをユーザ端末１００に送信する。
（ステップＳＴ６１５）
次いで、投稿管理部２６３は、投稿アプリを終了させる。
（ステップＳＴ６１６）
そして、表示制御部２６２は、表示部２０２に表示されているタイムライン画面を消去し、表示部２０２の全面に映像コンテンツを表示させる。
【００９４】
次に、図８，９を参照して、ユーザ端末１００のタッチパネル１０３及び出力装置２００の表示部２０２に表示される画面の一例について説明する。
図８は、本発明の一実施形態に係る表示制御システムにおける表示画面の一例を示す参考図である。ここでは、ユーザ端末１００に入力画面を、出力装置２００に投稿情報のタイムライン画面を表示する一例を示す。
図８に示す通り、出力装置２００の表示部２０２は、現在再生中の映像コンテンツと投稿情報のタイムライン画面を、同時に表示している。なお、映像コンテンツの表示画面の方が投稿情報のタイムライン画面の表示面積に比べて大きい。これにより、再生中の映像コンテンツの視聴を邪魔せずに、投稿情報のタイムライン画面を表示することができる。
また、投稿情報のタイムライン画面は、最上位部分に、再生中の映像コンテンツに対応するハッシュタグ（＃ｎｈｋ）が表示されている。また、投稿情報のタイムライン画面は、ハッシュタグの下に、投稿された投稿情報を時系列に並べて表示している。
一方、ユーザ端末１００は、入力画面として、情報を入力する入力欄と、入力する文字、数字、英字等を選択するためのキー画面とを含む画像を表示する。また、ユーザ端末１００は、入力欄に、再生中の映像コンテンツに応じたハッシュタグ（＃ｎｈｋ）を表示させる。つまり、ハッシュタグ（＃ｎｈｋ）が自動的に入力される。
これにより、ユーザ端末１００に対して投稿情報を入力する操作中であっても、出力装置２００に投稿情報を表示することができる。また、ユーザ端末１００が表示する入力欄を大きくすることができる。さらに、複数人で出力装置２００を見ている場合、複数人で、映像コンテンツと投稿情報を、同時にみることができる。
【００９５】
図９は、本発明の一実施形態に係る表示制御システムにおける表示画面の一例を示す参考図である。ここでは、ユーザ端末１００及び出力装置２００に投稿情報のタイムライン画面を表示する一例を示す。
図８に示す通り、出力装置２００の表示部２０２は、現在再生中の映像コンテンツと投稿情報のタイムライン画面を、同時に表示している。
また、ユーザ端末１００は、現在再生中の映像コンテンツに応じた投稿情報のタイムライン画面を表示する。
これにより、ユーザは、ユーザ端末１００及び出力装置２００の両方において、映像コンテンツに応じた投稿情報を確認することができる。
【００９６】
上記構成により、本実施形態に係る表示制御システムは、出力装置２００において映像コンテンツを再生している状態において、ユーザ端末１００が持ち上げられた場合、出力装置２００に投稿情報と映像コンテンツの両方を同時に表示させることができる。これにより、出力装置２００に表示されているテレビ映像を見ている状態において、ユーザ端末１００が持ち上げられた場合、見ているテレビ映像の内容に対する感想をＷＥＢ上に投稿したいというユーザの意思等を反映させ、簡単な操作により、出力装置２００に投稿情報を表示させることができる。また、ユーザ端末１００に対して投稿情報のタイムライン画面を表示させるためのユーザ操作としては、ユーザ端末１００を持ち上げるだけでよいため、操作時間が短縮されるとともに、操作性が向上する。さらに、ユーザは、ユーザ端末１００の画面よりも大きい出力装置２００の画面で投稿情報を確認することができる。
【００９７】
また、上記構成により、本実施形態に係る表示制御システムは、出力装置２００において映像コンテンツを再生している状態において、ユーザ端末１００が持ち上げられた場合、再生中の映像コンテンツに応じた投稿情報を出力装置２００に表示させることができる。これにより、投稿情報管理サーバ３００に投稿されている投稿情報の中から出力装置２００において再生中の映像コンテンツに応じた投稿情報を検索する操作が不要となるため、操作時間が短縮されるとともに、操作性が向上する。
【００９８】
さらに、上記構成により、本実施形態に係る表示制御システムは、出力装置２００において映像コンテンツを再生している状態において、ユーザ端末１００が持ち上げられた場合、ユーザ端末１００の表示部１３２に、ＷＥＢ上に投稿する情報を入力するための入力画面を表示することができる。これにより、出力装置２００に表示されているテレビ映像を見ている状態において、ユーザ端末１００が持ち上げられた場合、見ているテレビ映像の内容に対する感想をＷＥＢ上に投稿したいというユーザの意思が反映させ、簡単な操作により、ユーザ端末１００に入力画面を表示させることができる。
また、ユーザ端末１００に対して入力画面を表示させるためのユーザ操作としては、ユーザ端末１００を持ち上げるだけでよいため、投稿情報を投稿するための操作時間が短縮されるとともに、操作性が向上する。
さらに、ユーザは、投稿情報のタイムラインを大画面の出力装置２００で確認しながら、投稿情報の入力操作を手元のユーザ端末１００で行うことができるため、操作性がさらに向上する。
【００９９】
また、上記構成により、本実施形態に係る表示制御システムは、出力装置２００において映像コンテンツを再生している状態において、ユーザ端末１００が持ち上げられた場合、出力装置２００が再生している映像コンテンツに対応するハッシュタグを設定し、出力装置２００又はユーザ端末１００に表示させることができる。これにより、ユーザは、投稿情報を投稿する際に、出力装置２００が再生している映像コンテンツ、つまり、ユーザが見ている映像コンテンツに対応するハッシュタグを出力装置２００で確認したり、入力画面に入力された情報とともにハッシュタグを投稿情報管理サーバ３００に投稿（送信）することができる。よって、投稿情報管理サーバ３００は、ユーザ端末１００から投稿された投稿情報を、ユーザの見ている映像コンテンツに関連する投稿情報として管理することができる。
また、出力装置２００が再生している映像コンテンツに関連する投稿情報を投稿するためのユーザ操作としては、ユーザ端末１００を持ち上げ、表示される入力画面に投稿したい内容を入力するだけでよい（つまり、出力装置２００で再生中の映像コンテンツに関連するハッシュタグをユーザ自身が検索する等のユーザ作業が不要となる）ため、投稿情報を投稿するための操作時間が短縮されるとともに、操作性が向上する。
【０１００】
さらに、上記構成により、本実施形態に係る表示制御システムは、出力装置２００において映像コンテンツを再生している状態において、ユーザ端末１００が持ち上げられた場合、ユーザ端末１００又は出力装置２００において投稿アプリが起動される。よって、投稿情報を表示したり、投稿したりする処理は、ユーザ端末１００又は出力装置２００のどちらも実行可能である。これは、いずれか一方のみがインターネットに接続されている状況下において特に有効な効果となる。
【０１０１】
また、上記構成により、本実施形態に係る表示制御システムは、出力装置２００において映像コンテンツを再生している状態において、投稿アプリが起動している場合、ユーザ端末１００が所定時間以上操作されていない場合、投稿アプリを終了することができる。これにより、ユーザ端末１００が操作されなくなった場合、ＷＥＢ上に投稿が終了したというユーザの意思を反映させ、何らの操作もせずに、ユーザ端末１００又は出力装置２００への投稿情報の表示を終了することができる。
【０１０２】
なお、本実施形態において、操作パネル１３１と表示部１３２は、タッチパネル１０３に含まれる構成であると説明したが、本発明はこれに限られない。例えば、表示部１３２がタッチセンサを搭載していないディスプレイであって、操作パネル１３１がマウスやキーボード、ボタン等の操作手段であってもよい。
【０１０３】
また、本実施の形態に係る表示制御システム、ユーザ端末１００及び出力装置２００は、内部にコンピュータシステムを有している。そして、動作の過程は、プログラムの形式でコンピュータ読み取り可能な記録媒体に記憶されており、このプログラムをコンピュータシステムが読み出して実行することによって、上記処理が行われる。ここでいう「コンピュータシステム」とは、ＣＰＵ及び各種メモリやＯＳ、周辺機器等のハードウェアを含むものである。
また、「コンピュータシステム」は、ＷＷＷシステムを利用している場合であれば、ホームページ提供環境（あるいは表示環境）も含むものとする。
【０１０４】
また、各ステップを実現するためのプログラムをコンピュータ読み取り可能な記録媒体に記録して、また、この機能を実現するためのプログラムをコンピュータ読み取り可能な記録媒体に記録して、この記録媒体に記録されたプログラムをコンピュータシステムに読み込ませ、実行するものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【０１０５】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムに既に記録されているプログラムとの組合せで実現できるもの、いわゆる差分ファイル（差分プログラム）であっても良い。
【０１０６】
なお、本発明に係る表示制御システムの最小の構成要素は、互いに通信可能に接続された端末と出力装置とを含む表示制御システムであって、前記端末が備える検出部１００１が予め決められた操作を検出したか否かを判定する操作内容判定部１００２と、前記出力装置が備える第１表示部１００４が映像コンテンツを再生している状態において、前記操作内容判定部１００２が前記予め決められた操作を検出したことを判定した場合、ＷＥＢ上に投稿された投稿情報を前記映像コンテンツとともに前記第１表示部１００４に表示させる表示制御部と、を備える。この構成を図１０に示す。
【符号の説明】
【０１０７】
１００  ユーザ端末
１０１  通信部
１０２  センサ
１０３  タッチパネル
１０４  記憶部
１０５  テレビ放送受信部
１０６  制御部
１３１  操作パネル
１３２  表示部
１６１  操作内容判定部
１６２  表示制御部
１６３  投稿管理部
１６４  アプリケーション管理部
２００  出力装置
２０１  通信部
２０２  表示部
２０３  リモコン受信部
２０４  記憶部
２０５  テレビ放送受信部
２０６  制御部
２６１  操作内容判定部
２６２  表示制御部
２６３  投稿管理部
２６４  アプリケーション管理部
３００  投稿情報管理サーバ
４００  コンテンツ管理サーバ
５００  テレビ局
６００  送信アンテナ
７００  インターネット
８００  ＬＡＮ
【図１】
2014215864.tif 000003
【図２】
2014215864.tif 000004
【図３】
2014215864.tif 000005
【図４】
2014215864.tif 000006
【図５】
2014215864.tif 000007
【図６】
2014215864.tif 000008
【図７】
2014215864.tif 000009
【図８】
2014215864.tif 000010
【図９】
2014215864.tif 000011
【図１０】
2014215864.tif 000012